(57)【要約】【課題】カードホルダーに商品の表示カードを支持させて、商品の明確な表示を可能にするとともに、先入、先出の商品販売を実現し、かつ、トレーの引き出しによって商品の点検、補充、その他の管理も容易に行なえる商品陳列用トレーを提供すること。【解決手段】商品陳列用トレー１は、底面４ａと四周の側壁４ｂ、４ｃ、４ｄ、４ｅとで箱型に形成される容体４と、容体４の前側へその化粧を兼ねて取り付け、陳列商品の表示カード５を交換可能に支持させるカードホルダー６とを有して、カードホルダー６の棚３へ対応する部分には、トレー１を棚３へ納めたとき、棚３の前部裏側に設けた受部１９へ係合して、トレー１を引き出せない状態にするストッパー２０を設けられ、トレー１の後部下側には、トレー１を棚３から引き出すとき、棚３の前部表側に設けた止部材２１へ係合して、トレー１の引き落しを防止する係合片３０を設けられていること。【選択図】図１
2005261687.tif 000002
【特許請求の範囲】
【請求項１】
トレーへ商品を収納して、このトレーを棚に並べて商品の陳列を行なう商品陳列用トレーであって、
該トレーは、底面と四周の側面とで箱型に形成される容体と、容体の前側へその化粧を兼ねて取り付け、陳列商品の表示カードを交換可能に支持させるカードホルダーとを有して、
カードホルダーの棚へ対応する部分には、トレーを棚へ納めたとき、棚の前部裏側に設けた受部へ係合して、トレーを引き出せない状態に保持するストッパーを設けられ、
トレーの底面の後部下側には、トレーを棚から引き出すとき、棚の前部表側に設けた受部へ係合して、トレーの引き落しを防止する止部材を設けられている
ことを特徴とする商品陳列用トレー。
【発明の詳細な説明】
【技術分野】
【０００１】
本発明は、商品を収容して棚へ乗せて商品の陳列を行なう商品陳列用トレーに関する。
【背景技術】
【０００２】
従来、トレーへ商品を収納して、このトレーを棚へ乗せて商品を陳列する商品陳列用トレーにおいて、箱体の一側板を欠いた外箱に、同様に一側板を欠いた内箱をスライド自在に差し込んで、希望する差し込み度で係止手段を係合させると、トレーの容積を加減できる商品陳列用トレーは知られている。（例えば、特許文献１参照）
【特許文献１】特開２００３−３０４９５３号公報（第２頁、第１図）
【０００３】
しかしながら、上記トレーは、これを棚へ乗せて置いて、商品の補充や取り出しは、トレーと上段の棚との隙間へ手を差し入れて行なっている。このため、商品の補充や取り出しをしにくい上に、隙間分だけ棚の商品収容量が減少することになり、また、商品に関する表示をトレーではなく棚へ行っているので、表示がどうしても小さくなって見にくく、かつ、必要な情報も表示できないことが多くて、更に、表示とトレーが位置ずれして表示違いの問題を起すことがあった。
【発明の開示】
【発明が解決しようとする課題】
【０００４】
本発明は前記問題点を解消し、カードホルダーに商品の表示カードを支持させて、商品の明確な表示を可能にするとともに、先入、先出の商品販売を実現し、かつ、トレーの引き出しによって商品の点検、補充、その他の管理も容易に行なえる商品陳列用トレーを提供することをその課題とする。
【課題を解決するための手段】
【０００５】
前記課題を解決するため本発明に係る商品陳列用トレーは、下記の構成を採用することを特徴とする。
トレーへ商品を収納して、このトレーを棚に並べて商品の陳列を行なう商品陳列用トレーであって、該トレーは、底面と四周の側面とで箱型に形成される容体と、容体の前側へその化粧を兼ねて取り付け、陳列商品の表示カードを交換可能に支持させるカードホルダーとを有して、カードホルダーの棚へ対応する部分には、トレーを棚へ納めたとき、棚の前部裏側に設けた受部へ係合して、トレーを引き出せない状態に保持するストッパーを設けられ、トレーの底面の後部下側には、トレーを棚から引き出すとき、棚の前部表側に設けた受部へ係合して、トレーの引き落しを防止する止部材を設けられていること。
【発明の効果】
【０００６】
請求項１の効果
（１）トレーが底面と四周の側壁で形成されるため、陳列商品を側壁により支えて移動や転倒を防止して、多数の商品を並列陳列しても商品の混同が起らないようにすることができる。
【０００７】
（２）トレーの前側に前化粧を兼ねたカードホルダーを設けて、このホルダーに大きな表示カードの掲出を可能としたため、商品の価格、品名、産地、賞味期限、注意事項等、必要な事項を明確に表示することができて、しかも、表示カードはトレー毎に掲出されていて、他商品との表示違いのトラブルを生ずることがなく、また、表示カードは差し替え可能としてあるので、陳列商品が変る都度、表示カードも簡単に交換することができる。
【０００８】
（３）商品を入れたトレーを棚へ収めると、ストッパーが棚の受部材に係合してトレーを引き出せないようにするため、客がトレーを引き出して後入れ商品から取り出すことが防止され、また、地震時による振動でトレーが飛び出したり、子供の悪戯でトレーが引き出されたりするために商品が散乱損傷することを防止できる。
【０００９】
（４）トレーを棚から引き出して、商品の補充等を行なうから、商品と棚との隙間に手を差し入れて行う場合と違って、補充等が容易に行なわれて、しかも、トレーを傾けて引き出せば、収容される商品が容体の前側へ寄って後側は空くので、ここへ商品を補充すれば、商品の先入れ、先出しが都合よく行なわれる。また、商品と棚との隙間は僅かで足りるので、棚の商品収容量を増加させることができる。
【００１０】
（５）トレーを棚から引き出すとき、トレーが棚から外れる前に底面の後側に設けた止部材が棚の前部表面に設けた受部に係合してトレーを止めるため、誤ってトレーを引き落として、収容商品の散乱や破損を起すことが防止されるだけでなく、トレーを前側が下がるように傾けてもトレーが飛び出して来ないので、背の低い人も安心して商品の点検や補充ができる。
【発明を実施するための最良の形態】
【００１１】
以下に本発明に係る商品陳列用トレーの実施形態を図面に基づいて説明する。
【実施例１】
【００１２】
図１において符号１は、商品陳列用トレーを示す。このトレー１は、商品２を収容して棚３の上へ並べて商品陳列を行なうものであって、図２（ａ）（ｂ）に示す通り合成樹脂等で底面４ａの四周に、前後の側壁４ｂ、４ｃと左右の側壁４ｄ、４ｅを立設した箱型の容体４を形成し、この容体４の前の側壁４ｂの外側には、商品２の必要事項を表示したカード５を交換可能に支持するカードホルダー６を、前の側壁４ｂの化粧材を兼ねるように取り付けた構成としてある。
【００１３】
トレー１における容体４は、丈の高い商品２や、重ね置きにする商品２の場合は、図２及び図３（ｂ）に示す通り、商品２を取り出す前の側壁４ａを除いて、後及び左右の側壁４ｃ、４ｄ、４ｅを高くして商品２が安定して支持されるようにする。この場合、前側へ商品２が倒れるおそれがあれば、前の側壁４ｂの上側へ図２に示す通り補足板７を取り付けて側壁４ｂの高さを補足させる。
【００１４】
補足板７は、図２に示す通り前の側壁４ｂに長さを合わせて所要の幅に形成したものであって、カードホルダー６の取付部６ｂへ、図７、図８に示す通り開口が上へ向くようにスリット８を形成し、このスリット８へ補足板７の下部を差し込むと、補足板７が側壁４ｂ上に立って側壁４ｂの高さを補足し、丈の高い商品２でも安定に支持する。しかし、この補足板７は商品２を取り出す妨げになることもあるので、その場合は、補足板７を一時取り外して商品２を取り出し、その後で戻すようにする。
【００１５】
容体４は、前記の通り、底面４ａ、前側壁４ｂ、後側壁４ｃ、左側壁４ｄ、右側壁４ｅを一体に形成する。このため、多種多様な商品２に合わせてサイズが異なる多種類のトレー１を準備しなければならないので、各部材４ａ、４ｂ、４ｃ、４ｄ、４ｅを個別に形成すると、一部の部材を交換することによって形状、サイズが異なる多種類の容体４を得ることができて好都合である。
【００１６】
部材を個別形成するトレー１の容体４は、図４に示す通り、底面４ａと、前側壁４ｂと後側壁４ｃの一部を一体に形成した左側壁４ｄ及び右側壁４ｅと、後側壁４ｃの不足を補充するための後側壁４ｃとに別々に形成する。そして、底面４ａと左右の側壁４ｄ、４ｅとを接合部材９、９で接合し、底面４ａと後側壁４ｃとを接合部材１０で接合し、左右の側壁４ｄ、４ｅと一体の後側壁４ｃと補充の後側壁４ｃとを接合部材１１、１１で接合し、左右の側壁４ｄ、４ｅと一体の前壁４ｂには、カバーホルダー６の取付部６ｂへ図７、図８に示す通り設けた下向きに開口するスリット１２を嵌合すると、容体４へカバーホルダー６が取り付けられて図５に示す通りのトレー１が完成する。
【００１７】
前記接合部材９，９は、Ｌ形断面に形成して容体４の左右の側壁面４ｄ、４ｅと同じ長さに切断したものであり、水平片９ａに底面４ａの差込溝１３を設け、垂直片９ｂに左側壁４ｄまたは右側壁４ｅの差込溝１４を設けてあり、接合部材１０はＬ形断面に形成して後側壁４ｃと同じ長さに切断したものであって、水平片１０ａに底面４ａの差込溝１５を設け、垂直片１０ｂに後側壁４ｃを係合させる差込溝１６を設けてあって、接合部材９と接合部材１０の後側の合さり部は留継手としてある。
【００１８】
また、接合部材１１は、矩形断面に形成して後側壁４ｃよりも接合部材１０の差込溝１６の深さだけ短く切断したものであって、両側面１１ａ、１１ｂに後側壁４ｃの差込溝１７、１７を設けてある。
【００１９】
また、トレー１の容体４は、前後左右の側壁４ｂ、４ｃ、４ｄ、４ｅを、図６に（ａ）に示す通り同じ高さか、図６（ｂ）に示す通り、前側の側壁４ｂが低くて、他の側壁４ｃ、４ｄ、４ｅは高くなるように板材を曲げて一連に形成するか、射出成形等によって一連に成形して、これらの側壁４ｂ、４ｃ、４ｄ、４ｅを、図６（ｃ）の通り、底面４ａの周囲に取り付けた接合部材９、接合部材１０、接合部材１１へ取り付けて容体４を形成し、この容体４の前側の側壁４ｂへ図面には示してないが、カードホルダー６の取付部６ｂに設けた下向き開口のスリット１２を係合させれば、容体４へカードホルダー６が取り付けられたトレー１を構成することができるものであり、この手段によっても形状、サイズが異なる多種類のトレーを経済的に形成することができる。
【００２０】
容体４へ取り付けるカードホルダー６は、容体４の前の側壁４ｂの上端部より前方へ斜め下向きに張り出して、内部に表示カード５を抜き差し可能としたスリット１８を上方へ開口するように設けられた主体６ａと、この主体６ａの上部から容体４の前の側壁４ａに沿って垂下させ、後部に開口が下へ向くスリット１２と、開口が上へ向くスリット８とを前記の通り設けた取付部６ｂと、この取付部６ｂと前記主体６ａとを上下の中間付近で接合する連結片６ｃとで構成される。
【００２１】
また、カードホルダー６は、取付部６ｂの下側にトレー１を棚３に収めたとき、棚３の前部裏側に設けた受部１９へ係合して、トレー１の引き出しを制止するストッパー２０を設けるものであって、このストッパー２０は棚３に設けられた受部１９に合わせた構造のものを用いるものであって、以下にその５例に付いて説明する。
【００２２】
ストッパー２０の第１例は、棚３が図９（ａ）に示す通り、前部の裏側にストッパー２０の受部１９となる厚手の縁部を設けられ、表面にトレー１の止部材２１となる凹溝を形成されているため、ストッパー２０は、弾性付与部２２と、受部１９の後縁に係合する係合部２３と、この係合部２３の後側に下り勾配に形成した斜面部２４と、斜面部２４の後端より一旦、前側へ曲げ返して後方へ反りながら下降させることにより引金形をなすようにした操作部２５とで構成される。
【００２３】
そして、トレー１を棚３へ収めるときは、ストッパー２０の斜面部２４が棚３の受部１９に係合して、ストッパー２０を下方へ反らせるため、係合部２３が受部１９の下を通って受部１９の後縁の後側に達し、このとき、弾性付与部２２がストッパー１９を復元させて、係合部２３を受部１９の後縁に係合させるため、この状態でトレー１を引っ張っても引き出すことができないようにトレー１は制止される。
【００２４】
しかし、商品２の点検や補充等のためにトレー１を引き出すとき、ストッパー２０の摘み部２５を摘んで引き下げると、ストッパー２０が反って係合部２３を棚３の受部１９から外してトレー１の制止を解くため、この状態ではトレー１を棚３から引き出すことができる。
【００２５】
ストッパー２０の第２例は、棚３が図９（ｂ）に示す通り、前部の裏側にストッパー２０の受部１９となる厚手の縁部を設けられ、表面の前端にトレー１の止部材２１となる立上片を設けられている。このため、ストッパー２０は、第１例と同様に弾性付与部２２、係合部２３、斜面部２４、摘み部２５は設けられた構成であって、第１例と同様に機能する。しかし、棚３に設けたトレー１の止部材２１が立上片であるため、容体４の底面４ａの前部は、前端が立上片２１より高い位置にあり、その後側は次第に低くなる傾斜面２６に形成して、トレー1の棚３への入れ出しが立上片に妨げられないようにする。
【００２６】
ストッパー２０の第３例は、図９（ｃ）に示す通り、棚３が前部の裏側にストッパー２０の受部１９となる薄い縁部を斜め前方へ張り出すように設けられ、表側にはトレー１の止部材２１となる凹溝を形成されている。このため、ストッパー２０は、棚３の受部１９
に係合する係合部２３を受部１９となる薄い縁部の先端形状に合わせた溝形に形成した点で第1例と相違する。しかし、他の弾性付与部２２、斜面部２４、摘み部２５は第１例のものと同じであって同様に機能するので、同一部材には同一の符号を付して構造並びに作用等の説明は省略した。
【００２７】
ストッパー２０の第４の例は、棚３が図１０（ａ）に示す通り、前部の裏側にストッパー２０の受部１９となる薄い縁部を設けられ、表面にトレー1の止部材２１となる凹溝を形成されている。このため、ストッパー２０は、棚３の受部１９に係合する係合部２３を受部１９となる縁部の先端形状に合わせた溝形に形成した点で第1例とは相違する。しかし、他の弾性付与部２２、斜面部２３、摘み部２５は第１例のものと同一であって同様に機能するので、同一部材には同一の符号を付して、構造並びに作用等の説明は省略した。
【００２８】
ストッパー２０の第５例は、棚３が図１０（ｂ）に示す通り、前部の裏側にストッパー２０の受部１９となる平面部を設けられ、表面にトレー1の止部材２１となる凹溝を形成されている。このため、ストッパー２０は、棚３の受部１９に係合する係合部２３をストッパー２０へ永久磁石２６を取り付けて構成し、磁力による係合を行わせる点で第１例とは相違する。しかし、他の弾性付与部２２、斜面部２４、摘み部２５は第１例のものと同じであって同様に機能するので、構造並びに作用等の説明は省略した。
【００２９】
前記ストッパー２０は、第１〜第５の例においては、摘み部２５を斜面部２４の後端より一旦、前側へ曲げ返して後方へ反りながら下降させることにより引金形をなすように形成したが、この操作部２５は、図８に示す通り斜面部２４の後方へ真っ直ぐに伸び出す形状としてもよいものであり、また、摘み部２５の幅は、図７に示す通りカードホルダー６の取付部６ｂと同じ幅に形成してもよいし、図８に示す通り取付部６ｂの下側の中央部に取付部６ｂの幅の何分の１かの幅に形成してもよい。
【００３０】
更に、ストッパー２０は、前述した通りカードホルダー６の取付部６ｂへ取り付ける構造に限定されるものではなく、図１２に示す通り、ストッパー２０を金属または合成樹脂等によりカードホルダー6とは別体に形成して、その弾性付与部２２に取付部２８を連設し、この取付部２８をカードホルダー６の取付部６ｂの下部に設けた支持体２９へ係合させる取付構造としてもよい。
【００３１】
トレー１の容体４における底面４ａの後端側には、棚３の前部表面に設けた凹溝または立上片の止部材２１に係合する係合片３０を設ける。そして、この係合片３０を棚３からトレー１を引き出すとき、容体４の後端が棚３の前縁に近づくと止部材２１へ係合させてトレー１の動きを止め、トレー１が過って棚３より引き落されることがないようにする。
【００３２】
上記実施形態に示す商品陳列用トレー１は、容体４内へ商品２を収容して、カードホルダー６の主部６ａに設けたスリット１８へ、商品２に関する価格、産地、賞味期限、注意事項、その他の必要事項を大きく明確に表示した表示カード５を差し込むと、トレー１の前面に表示が分かり易く掲出されるので、収容した商品２に関する情報が明確に客に伝えられるようになる。
【００３３】
そこで、トレー１を図１２に示す通り棚３の上へ乗せて、棚３の定位置に納まらせると、ストッパー２０の係合部２３が棚３に設けた受部１９へ係合して、トレー１を棚３に固定の状態とする。従って、商品２の取り出しは、カードホルダー６と上の棚3との間より前側へしかできないので、商品２の先入と先出しが確実に達成されて、しかも、ストッパー２０で制止されるトレー１は、地震等による振動で棚３から飛び出したり、子供の悪戯で棚３から引き落とされたりすることがなくなり、これらに原因する商品の損傷が防止される。
【００３４】
また、商品２の点検や補充等のためにトレー１を引き出すときは、棚３の下に手を入れてストッパー２０の操作摘み部２５を引き下げれば、ストッパー２０が変形して係合部２３を棚3の受部１９より外れさせ、トレー1の制止を解除するので、トレー１を引っ張るとトレー1は棚３から引き出されるものであって、これに伴い、トレー１の後部が棚３より外れそうになると、底面４ａの後部に設けた係合片３０が棚３の止部材２１に係合してトレー1は動きをとめる。このため、トレー1を棚３から引き落とすことが防止されて、この引き出し状態でトレー1を図１３に示す通りに傾けても、容体４は安定に支持されて容体4の中の様子を安全に見ることができる。
【００３５】
また、引き出したトレー1は、後側を少し持ち上げると、係合片３０が棚３の止部材２１より外れるため、トレー１を棚３から外へ取り出して図１４に示す通り床へ置いたり、台に乗せたりして容体４の中の点検や掃除、その他を容易に行うことができる。
【産業上の利用可能性】
【００３６】
商品の表示が明確にできて、棚の商品収容量が増し、商品の先入、先出しが確実に達成されて、商品の点検、補充、その他の管理業務も簡単に行なえる商品の陳列販売に有効に利用できる。
【図面の簡単な説明】
【００３７】
【図１】商品陳列用トレーの浅い容体形を示す斜視図である。
【図２】同上の深い容体形を示す斜視図である。
【図３】（ａ）（ｂ）は、一体形成した容体の浅いタイプと、深いタイプを示す斜視図である。
【図４】容体を組立式とした場合の構成部品を示す斜視図である。
【図５】図４に示す構成部材で組立てたトレーの斜視図である。
【図６】（ａ）（ｂ）（ｃ）は、板材を曲げて一連に形成した容体の側壁の浅いタイプ及び深いタイプと、これら組み合わせて使用する接合部材付き底面の斜視図である。
【図７】カバーホルダーの前側よりの斜視図である。
【図８】同上の後側よりの斜視図である。
【図９】（ａ）（ｂ）（ｃ）は、トレーの制止に用いるストッパーの第１例〜第３例を示す側面図である。
【図１０】（ａ）（ｂ）は、トレーの制止に用いるストッパーの第４例、第５例を示す側面図である。
【図１１】トレーのストッパーをカバーホルダーの取付部とは別に形成して、取付部へ取り付けた状態を示す側面図である。
【図１２】トレーを棚へ収めた状態の側面図である。
【図１３】トレーを棚から引き出して傾けた状態の側面図である。
【図１４】トレーを棚から外へ取り出した状態の側面図である。
【符号の説明】
【００３８】
１  商品陳列用トレー
３  棚
４  容体
４ａ  底面
４ｂ  前側壁
４ｃ  後側壁
４ｄ  左側壁
４ｅ  右側壁
５  表示カード
６  カードホルダー
１９  受部材
２０  ストッパー
２１  止部材
３０  係合片
【図１】
2005261687.tif 000003
【図２】
2005261687.tif 000004
【図３】
2005261687.tif 000005
【図４】
2005261687.tif 000006
【図５】
2005261687.tif 000007
【図６】
2005261687.tif 000008
【図７】
2005261687.tif 000009
【図８】
2005261687.tif 000010
【図９】
2005261687.tif 000011
【図１０】
2005261687.tif 000012
【図１１】
2005261687.tif 000013
【図１２】
2005261687.tif 000014
【図１３】
2005261687.tif 000015
【図１４】
2005261687.tif 000016